(57)【要約】【課題】アタッチメントを介したりすることなく操作可能で、押下力の調整をも容易に行うことができるボタン装置を提供する。【解決手段】本体ケース５内に撓み片２５、２５・・を備えた弾性板７を設け、押しボタン６を押下操作した際、各リブ２３が撓み片２５の先端部２５ａを押圧し、撓み片２５が下方へ撓むように構成する一方、各撓み片２５に下方から当接し、撓み片２５が下方へ撓む際に支点となる支点リブ２９を備えているとともに、本体ケース５内で上下方向を軸として回転可能な押下力調整板２を設け、押下力調整板２を回転させて支点リブ２９の位置を変更し、各撓み片２５の先端部２５ａと支点リブ２９が当接している位置との距離を変更することにより押下力を調整可能とした。【選択図】図５
2014229595.tif 000002
【特許請求の範囲】
【請求項１】
本体ケースの上面に押下操作可能な押しボタンが露出しており、前記押しボタンの押下操作により、前記本体ケースに内蔵されたスイッチがＯＮ／ＯＦＦ操作されるボタン装置であって、
前記本体ケース内に、前記押しボタンの押下操作により、前記押しボタンの一部に押圧されて下方へ撓む撓み片を備えた弾性手段を設ける一方、
前記撓み片に下方から当接し、前記撓み片が下方へ撓む際に支点となる支点部を備えているとともに、前記本体ケース内で上下方向を軸として回転可能又は水平方向へスライド可能な押下力調整手段を設けており、
前記押下力調整手段を前記回転又はスライドさせて前記支点部の位置を変更し、前記撓み片における前記押しボタンによる押圧位置と前記支点部の当接位置との距離を変更することにより、前記押しボタンの押下操作に必要な押下力を調整可能としたことを特徴とするボタン装置。
【請求項２】
前記押下力調整手段に、摘み部を一体的に突設する一方、前記本体ケースに、前記摘み部を外部に露出するための操作窓を開設しており、
前記操作窓内での前記摘み部の位置を移動させることにより、前記本体ケースの外部からでも前記押下力調整手段を前記回転又はスライド可能としたことを特徴とする請求項１に記載のボタン装置。
【発明の詳細な説明】
【技術分野】
【０００１】
本発明は、たとえばナースコールシステムに用いられ、病室のベッド上の患者が看護師を呼び出すための呼出ボタン装置等といったボタン装置に関するものである。
【背景技術】
【０００２】
従来、一般的なナースコールシステムには、患者が看護師を呼び出す等する際に押下操作する呼出ボタン装置が設けられている。このような呼出ボタン装置としては、胴部の先端に押下操作可能な押しボタンが設けられ、患者が胴部を把持して親指等で押しボタンを押下操作するといったものが知られている。
しかしながら、上記呼出ボタン装置は、たとえば手に怪我をしているような患者にしてみると操作が難しいといった問題がある。そこで、たとえば特許文献１に記載の呼出ボタン装置では、胴部及び押しボタンを全体的に覆うような大型のアタッチメントを装着し、アタッチメントの操作部を掌等で押圧することにより押しボタンが押下操作されるように構成することで、胴部等を把持せずとも押しボタンの押下操作を可能としている。
【先行技術文献】
【特許文献】
【０００３】
【特許文献１】特開２００８−１１９２００号公報
【発明の概要】
【発明が解決しようとする課題】
【０００４】
しかしながら、上記特許文献１に記載の呼出ボタン装置では、アタッチメントを介して押しボタンを押下操作する（すなわち、間接的に押しボタンを押下操作する）ため、患者にしてみると、操作に応じて確実に呼び出しができているのか不安に感じやすいという問題がある。また、患者によって、僅かな押下力で押しボタンを押下操作したかったり、誤操作しにくい程度の押下力を要して初めて押しボタンが押下操作されるようにしたかったり等、押しボタンの押下力に関して様々なニーズがあるものの、従来の呼出ボタン装置では、そのようなニーズにそもそも応えることができなかったり、部品を交換する必要があったりするという問題もある。
【０００５】
そこで、本発明は、上記問題に鑑みなされたものであって、アタッチメントを介したりすることなく操作可能で、押下力の調整をも容易に行うことができるボタン装置を提供しようとするものである。
【課題を解決するための手段】
【０００６】
上記目的を達成するために、本発明のうち請求項１に記載の発明は、本体ケースの上面に押下操作可能な押しボタンが露出しており、押しボタンの押下操作により、本体ケースに内蔵されたスイッチがＯＮ／ＯＦＦ操作されるボタン装置であって、本体ケース内に、押しボタンの押下操作により、押しボタンの一部に押圧されて下方へ撓む撓み片を備えた弾性手段を設ける一方、撓み片に下方から当接し、撓み片が下方へ撓む際に支点となる支点部を備えているとともに、本体ケース内で上下方向を軸として回転可能又は水平方向へスライド可能な押下力調整手段を設けており、押下力調整手段を回転又はスライドさせて支点部の位置を変更し、撓み片における押しボタンによる押圧位置と支点部の当接位置との距離を変更することにより、押しボタンの押下操作に必要な押下力を調整可能としたことを特徴とする。
請求項１に記載の発明によれば、本体ケース内に、撓み片を備えた弾性手段や、撓み片に下方から当接し、撓み片が下方へ撓む際に支点となる支点部を備えているとともに、本体ケース内で上下方向を軸として回転可能又は水平方向へスライド可能な押下力調整手段を設けた。そして、押下力調整手段を回転又はスライドさせて支点部の位置を変更し、撓み片における押しボタンによる押圧位置と支点部の当接位置との距離を変更することにより、押しボタンの押下操作に必要な押下力を調整可能とした。したがって、たとえば患者等の使用者毎に押下力を適宜調整したいといったニーズにも容易に対応することができる。また、アタッチメントを介したりすることなく、本体ケースから露出する押しボタンを直接押下操作する構成であるため、使用者が操作に応じて確実に呼び出しができているのか不安に感じるようなこともない。
【０００７】
請求項２に記載の発明は、請求項１に記載の発明において、押下力調整手段に、摘み部を一体的に突設する一方、本体ケースに、摘み部を外部に露出するための操作窓を開設しており、操作窓内での摘み部の位置を移動させることにより、本体ケースの外部からでも押下力調整手段を回転又はスライド可能としたことを特徴とする。
請求項２に記載の発明によれば、押下力調整手段に、摘み部を一体的に突設する一方、本体ケースに、摘み部を外部に露出するための操作窓を開設しており、操作窓内での摘み部の位置を移動させることにより、本体ケースの外部からでも押下力調整手段を回転又はスライド可能としているため、一々本体ケースを分解したりすることなく、非常に容易に押下力を調整することができる。
【発明の効果】
【０００８】
本発明によれば、本体ケース内に、押しボタンの押下操作により、押しボタンの一部に押圧されて下方へ撓む撓み片を備えた弾性手段を設ける一方、撓み片に下方から当接し、撓み片が下方へ撓む際に支点となる支点部を備えているとともに、本体ケース内で上下方向を軸として回転可能又は水平方向へスライド可能な押下力調整手段を設け、押下力調整手段を回転又はスライドさせて支点部の位置を変更し、撓み片における押しボタンによる押圧位置と支点部の当接位置との距離を変更することにより、押しボタンの押下操作に必要な押下力を調整可能とした。したがって、たとえば患者等の使用者毎に押下力を適宜調整したいといったニーズにも容易に対応することができる。
【図面の簡単な説明】
【０００９】
【図１】呼出ボタン装置全体の外観を示した斜視説明図である。
【図２】分解状態にある呼出ボタン装置を示した斜視説明図である。
【図３】押下力調整板を示した説明図であり、（ａ）は上方から、（ｂ）は下方から夫々示している。
【図４】下ケースを上方から示した説明図である。
【図５】押しボタンの押下力を最も弱くした状態を示した説明図である。
【図６】押しボタンの押下力を中間程度とした状態を示した説明図である。
【図７】押しボタンの押下力を最も強くした状態を示した説明図である。
【発明を実施するための形態】
【００１０】
以下、本発明の一実施形態となる呼出ボタン装置について、図面にもとづき詳細に説明する。
【００１１】
図１は、呼出ボタン装置１全体の外観を示した斜視説明図である。図２は、分解状態にある呼出ボタン装置１を示した斜視説明図である。図３は、押下力調整板２を示した説明図であり、（ａ）は上方から、（ｂ）は下方から夫々示している。図４は、下ケース４を上方から示した説明図である。
【００１２】
呼出ボタン装置１は、たとえば一般的なナースコールシステム等に用いられるものであって、上ケース３と下ケース４とを組み付けてなる円盤状の本体ケース５と、押下操作可能な押しボタン６と、押しボタン６の押下操作に伴い上下方向へ撓む弾性板７と、押しボタン６の押下力を調整するための押下力調整板２と、スイッチを搭載したスイッチ基板（図示せず）を内蔵したスイッチケース８と、押しボタン６の押下操作に応じて作動し、スイッチケース８内のスイッチをＯＮ／ＯＦＦ操作する操作部材９とを有している。なお、本体ケース５の直径は略１５ｃｍ程度となっている。
【００１３】
上ケース３は、下ケース４の上方を覆うような略円形のカバー体であって、その略中央には押しボタン６を露出させるための露出孔１０が開設されている。また、上ケース３の外周縁部は、下ケース４側へ折り曲げられて壁状に形成されており、その壁状部には、上ケース３の周方向へ所定の長さに亘り切り欠かれてなる上側操作窓部１２が設けられている。さらに、上ケース３の内面（下面）には、押しボタン６の上下方向を軸とした回転を規制するための規制突起１３、１３・・や、弾性板７をネジ止めするための複数のネジ止め部（図示せず）や、下ケース４と一体化するための複数のネジ止め用ボス１４、弾性板７（特に、撓み片２５、２５・・）の上ケース３側への撓みを規制するための複数の規制リブ（図示せず）等が突設されている。
【００１４】
下ケース４は、スイッチケース８等が組み付けられる略円板状の基台であって、その上面には、上ケース３をネジ止めにより一体化するための複数の固定ボス１４、１４・・、操作部材９をネジ止めするとともに操作部材９の作動片３６、３６を上下方向に揺動可能に組み付けるための取付部１５、１５、スイッチケース８を設置するための設置部１６、及び上ケース３を一体化した際に規制突起１３、１３の先端が当接する当接突起１７、１７等が設けられている。また、下ケース４の外周縁に沿って、上ケース３側へ立設された外壁部が周設されており、外壁部における上ケース３と一体化した際に上側操作窓部１２と対向する位置には、下ケース４の周方向へ上側操作窓部１２と同じ長さに亘り切り欠かれてなる下側操作窓部１８が設けられている。そして、両操作窓部１２、１８に囲まれたスペース内へ押下力調整板２の摘み部１１を露出可能とするとともに、当該スペースにより摘み部１１の操作範囲を規制するようになっている。さらに、下ケース４の外周壁部から径方向内側へ所定間隔だけ隔てた位置には、押下力調整板２の上下方向を軸とした回転操作を案内するための案内壁１９が、外周壁部と平行な円弧状に立設されている。加えて、案内壁１９の一方端部には、押下力調整板２の回転位置を位置決めするための位置決め部２０が設けられている。該位置決め部２０は、下ケース４上に立設された台部の上面に、押下力調整板２の回転操作方向に沿って複数の位置決め凹部２０ａ、２０ａ・・を並設してなる。
【００１５】
押しボタン６は、上面視略円形で上方へ膨出状に形成された操作面６ａを有しており、該操作面６ａの直径は略９ｃｍ程度となっている。また、操作面６ａの外周縁部に沿って、径方向外側へ突出するフランジ部２１が鍔状に周設されている。該フランジ部２１を含む押しボタン６の径は、露出孔１０の径よりも大径となっており、露出孔１０からの抜け止めとして機能するようになっている。さらに、フランジ部２１には、自身よりも更に径方向外側へ突出する回転規制突片２２、２２・・が、周方向に９０度間隔で４つ設けられている。各回転規制突片２２の周方向での幅は、一組の規制突起１３、１３間へ進入可能な幅となっており、本体ケース５内への組み付け時に各回転規制突片２２が規制突起１３、１３間へ位置することで、押しボタン６の押しボタン６の上下方向を軸とした回転が規制されるようになっている。さらにまた、各回転規制突片２３の下面には、弾性板７の撓み片２５の先端部２５ａ（図５等に示す）上面に当接し、押しボタン６の押下操作により撓み片２５を押し下げるリブ２３が突設されている。加えて、フランジ部２１の下面で、回転規制突片２３、２３・・間となる位置には、合計４つの押圧突起２４、２４・・が突設されており、押しボタン６の押下操作に伴い操作部材９の作動片３６、３６の隅部を下方へ押圧し、作動片３６、３６を下方へ押し下げる（すなわち、スイッチをＯＮ／ＯＦＦする）ようになっている。
【００１６】
弾性板７は、弾性を有する薄い金属板より形成されるものであって、リング状に形成された円環部７ａと、円環部７ａから延びる４つの撓み片２５、２５・・とを有している。各撓み片２５は、円環部７ａに沿った帯状に形成され、その一方側の端部においてのみ円環部７ａと繋がっており、円環部７ａを固定した状態において他方側の端部（先端部２５ａ）に負荷が加わると、撓み片２５のみが上下方向へ撓むようになっている。また、撓み片２５、２５・・と円環部７ａとの連結位置は、円環部７ａの周方向に９０度間隔となっている。さらに、円環部７ａにおける撓み片２５、２５・・間となる位置には、弾性板７を上ケース３の内面側（下面側）にネジ止めするためのネジ孔２６、２６・・が合計４つ穿設されている。
【００１７】
押下力調整板２は、下ケース４よりも僅かに小径な円環状に形成された平板部２７と、該平板部２７の外周縁に沿って上方へ立設された外壁部２８とを一体的に有する合成樹脂製部材であって、平板部２７の上面には、撓み片２５、２５・・が下方へ撓む際に支点となる４つの支点リブ２９、２９・・が周方向に９０度間隔で突設されている。各支点リブ２９は、外壁部２８と同じ上下方向高さを有し、押下力調整板２の径方向に沿って設けられており、本体ケース５内への組み付け時に、各支点リブ２９の先端が撓み片２５、２５・・の下面に当接するようになっている。また、各支点リブ２９の内周側端部には、支点リブ２９を補強するための補強突起３０が平板部２７及び支点リブ２９と一体的に設けられている。さらに、平板部２７の所定位置（本体ケース５内への組み付け時に、位置決め部２０と対応する位置）には、一対のスリット３１、３１が径方向へ所定間隔だけ隔てて形成されている。そして、スリット３１、３１間が周囲よりも薄肉な薄肉部３２とされているとともに、該薄肉部３２の後面に、位置決め凹部２０ａ、２０ａ・・の何れかへ嵌まり込んで押下力調整板２の回転位置を位置決めするための位置決め用突起３３が突設されている。一方、外壁部２８の所定箇所（本体ケース５内への組み付け時に上側操作窓部１２及び下側操作窓部１８と対応する箇所）には、平板部２７よりも下方へ延設してなる案内リブ３５が周方向で所定の幅にわたり設けられており、本体ケース５内への組み付け時に案内壁１９と下ケース４の外周壁部との間に位置し、押下力調整板２の回転時にその回転動作を案内するようになっている。また、案内リブ３５の外周面は、本体ケース５内への組み付け時に上側操作窓部１２及び下側操作窓部１８内へ露出することになり、当該外周面に摘み部１１が一体的に突設されている。なお、３４は、固定ボス１４との干渉を避けるための切り欠き部である。
【００１８】
操作部材９は、押しボタン６の押下操作に応じて上下方向へ揺動する一対の作動片３６、３６と、スイッチケース８を設置部１６上に固定するとともに作動片３６、３６の取付部１５、１５からの脱落を防止するための固定部材３７とからなる。また、固定部材３７には、上ケース３を一体化した際に規制突起１３、１３の先端が当接する当接突起３９、３９・・が設けられている。さらに、スイッチケース８の左右両側面には、作動片３６の上下方向への揺動に連動し、内蔵したスイッチをＯＮ／ＯＦＦする操作凸条３８が夫々設けられている。
【００１９】
上述したような各構成要素からなる呼出ボタン装置１を組み立てるには、まず下ケース４にスイッチケース８及び操作部材９を固定するとともに、摘み部１１を下側操作窓部１８内へ位置させつつ、何れかの位置決め凹部２０ａへ位置決め突起３３を嵌入させて、押下力調整板２を下ケース４上に載置する。一方、上ケース３の規制突起１３、１３間へ押しボタン６の回転規制突片２３を位置させつつ、露出孔１０内へ操作面６ａ側を嵌め込むとともに、当該状態で弾性板７を上ケース３にネジ止めする。最後に、上ケース３と下ケース４とを一体化すれば、呼出ボタン装置１を組み立てることができる。そして、組み立て状態にある呼出ボタン装置１では、各撓み片２５の先端部上面に押しボタン６のリブ２３が、各撓み片２５の下面に支点リブ２９が夫々当接した状態となっている。また、押しボタン６の各押圧突起２４の下方に、作動片３６の隅部が位置している。さらに、押しボタン６は上下方向へのみ、押圧力調整板２は上下方向を軸とした回転方向へのみ夫々移動を許容された状態となっている。加えて、上ケース３の規制突起１３、１３・・の先端が、下ケース４の当接突起１７、１７や固定部材３７の当接突起３９、３９・・に当接しており、押しボタン６の押下操作時等における上ケース３の下方への撓みを防止している。
【００２０】
そして、押しボタン６を押下操作すると、リブ２３、２３・・が撓み片２５、２５・・の先端部２５ａ、２５ａ・・を下方へ押圧することになる。したがって、押しボタン６は、撓み片２５、２５・・を支点リブ２９、２９・・の当接位置を支点として下方へ撓ませながら下方（すなわち本体ケース５内側）へ移動する。また、押しボタン６の下方への移動に伴い、押圧突起２４、２４・・が作動片３６、３６の隅部を下方へ押圧して作動片３６、３６が作動し、最終的にスイッチケース８内のスイッチがＯＮ／ＯＦＦ操作されることになる。
【００２１】
ここで、押下力調整板２による押しボタン６の押下力の調整について図５〜図７をもとに説明する。図５は、押しボタン６の押下力を最も弱くした状態を示した説明図である。図６は、押しボタン６の押下力を中間程度とした状態を示した説明図である。図７は、押しボタン６の押下力を最も強くした状態を示した説明図である。
上述したように押しボタン６を押下操作すると、押しボタン６は撓み片２５、２５・・を撓ませながら下方へ移動するため、撓み片２５、２５・・を撓ませるために必要な負荷を調整する、すなわち押下力調整板２を回転操作してその回転位置を変更することで支点リブ２９、２９・・の位置を変更し、各撓み片２５の先端部２５ａと支点リブ２９が当接している位置との距離（作用点と支点との距離）を変更することで押下力の調整が可能となる。そこで、押下力を最も弱くしたい場合には、摘み部１１を正面視で左側へ押しやる（摘み部１１の操作窓内での位置を左端へ移動させる）ことで押下力調整板２を左側へ回転操作し、位置決め用突起３３が下側操作窓部１８に最も近い位置決め凹部２０ａ内へ嵌まり込む回転位置に位置決めする。すると、各支点リブ２９が撓み片２５の先端部２５ａから離れる方へ移動して、図５に示す如く、各撓み片２５において先端部２５ａと支点リブ２９の当接位置とが最大限離隔することになり、撓み片２５、２５・・を撓ませるために必要な負荷、すなわち押下力が最も弱くなる。一方、押下力を最も強くしたい場合には、摘み部１１を正面視で右側へ押しやる（摘み部１１の操作窓内での位置を右端へ移動させる）ことで押下力調整板２を右側へ回転操作し、位置決め用突起３３が下側操作窓部１８から最も遠い位置決め凹部２０ａ内へ嵌まり込む回転位置に位置決めする。すると、各支点リブ２９が撓み片２５の先端部２５ａに近づく方へ移動して、図７に示す如く、各撓み片２５において先端部２５ａと支点リブ２９の当接位置とが最大限近接することになり、撓み片２５、２５・・を撓ませるために必要な負荷、すなわち押下力が最も強くなる。さらに、位置決め凹部２０ａ、２０ａ・・は合計８個設けられているため、押下力調整板２を左右に回転操作し、位置決め用突起３３が嵌まり込む位置決め凹部２０ａを変更する（弾性板７に対する支点リブ２９の位置を変更する）ことにより、上記最も弱い押下力と最も強い押下力との間で、押下力を更に６段階で調整することができる（たとえば図６）。なお、押下力調整板２の回転操作に伴って位置決め用突起３３が位置決め凹部２０ａ、２０ａ間を移動する際には、スリット３１、３１に挟まれた薄肉部３２が上方へ撓むことで、当該移動を、ある程度の抵抗が生じるものの、比較的スムーズに行えるようになっている。
【００２２】
以上のような構成を有する呼出ボタン装置１によれば、本体ケース５内に撓み片２５、２５・・を備えた弾性板７を設け、押しボタン６を押下操作した際、各リブ２３が撓み片２５の先端部２５ａを押圧し、撓み片２５が下方へ撓むように構成する一方、各撓み片２５に下方から当接し、撓み片２５が下方へ撓む際に支点となる支点リブ２９を備えているとともに、本体ケース５内で上下方向を軸として回転可能な押下力調整板２を設けており、押下力調整板２を回転させて支点リブ２９の位置を変更し、各撓み片２５の先端部２５ａと支点リブ２９が当接している位置との距離を変更することにより押下力を調整可能としている。したがって、たとえば患者等の使用者毎に押下力を適宜調整したいといったニーズにも容易に対応することができる。また、アタッチメントを介したりすることなく、本体ケース５から露出する押しボタン６を直接押下操作する構成であるため、使用者が操作に応じて確実に呼び出しができているのか不安に感じるようなこともない。
【００２３】
また、押下力調整板２に摘み部１１を一体的に突設する一方、本体ケース５に上側操作窓部１２及び下側操作窓部１８を開設しており、摘み部１１が上側操作窓部１２及び下側操作窓部１８内へ露出するようにし、上側操作窓部１２及び下側操作窓部１８内での摘み部１１の位置を移動させることにより、本体ケース５の外部からでも押下力調整板２を回転可能としている。したがって、押下力を調整するにあたり、一々本体ケース５を分解したりする必要がなく、非常に容易に押下力を調整することができる。
【００２４】
さらに、押下力調整板２の下面に位置決め用突起３３を突設するとともに、下ケース４に位置決め用突起３３が嵌まり込み可能な位置決め凹部２０ａ、２０ａ・・を、押下力調整板２の回転に伴う支点リブ２９、２９・・の移動方向に沿って複数設けており、位置決め用突起３３が何れかの位置決め凹部２０ａへ嵌まり込むことで、押下力調整板２をその回転位置で位置決め可能、ひいては支点リブ２９、２９・・の位置を位置決め可能としている。したがって、不用意に押下力調整板２が回転して押下力が変わってしまうといった事態を効果的に防止することができる。
加えて、押下力調整板２に径方向へ所定間隔を隔ててスリット３１、３１を形成し、該スリット３１、３１間を薄肉部３２として形成するとともに、該薄肉部３２に位置決め用突起３３を設けており、押下力調整板２の回転操作に伴って位置決め用突起３３が位置決め凹部２０ａ、２０ａ間を移動する際には、スリット３１、３１に挟まれた薄肉部３２が上方へ撓むようにしている。したがって、位置決め用突起３３が嵌まり込む位置決め凹部２０ａの変更、すなわち押下力調整板２の回転操作を容易に行うことができる。
【００２５】
なお、本発明に係るボタン装置は、上記実施形態の態様に何ら限定されるものではなく、ボタン装置の全体的な構成は勿論、押下力の調整に係る構成についても、本発明の趣旨を逸脱しない範囲で、必要に応じて適宜変更することができる。
【００２６】
たとえば、上記実施形態では、本体ケース５の形状が円盤であるため、押下力調整板２及び弾性板７を円環状に形成しており、押下力調整板２を回転操作に伴い支点リブ２９、２９・・が回転方向へスライドして、撓み片２５、２５・・を支持する支持位置が変更されるような構成を採用しているが、本体ケース５の形状によっては、押下力調整板２及び弾性板７を直線的な帯状に形成し、押下力調整板２の直線的なスライド操作により支点リブ２９、２９・・が直線方向へスライドして、撓み片２５、２５・・を支持する支持位置が変更されるような構成を採用することも当然可能である。
また、上記実施形態では、押下力調整板２に摘み部１１を一体的に突設するとともに、本体ケース５に上側操作窓部１２や下側操作窓部１８を開設し、摘み部１１を上側操作窓部１２及び下側操作窓部１８内へ露出させることにより、本体ケース５の外部から押下力調整板２を回転操作可能としているが、摘み部１１や上側操作窓部１２、下側操作窓部１８を設けず、本体ケース５を分解して押下力調整板２を回転させるように構成することも可能である。
【００２７】
さらに、上記実施形態では、押下力を計８段階で調整可能としているが、７段階以下で調整可能としてもよいし、９段階以上で調整可能としても何ら問題はない。
さらにまた、操作部材９やスイッチケース８等の構成についても適宜変更可能であって、押しボタン６に設けられた操作突起が直接スイッチ基板上のスイッチをＯＮ／ＯＦＦ操作するような構成を採用することも当然可能である。
加えて、本体ケース５の寸法や押しボタン６の形状等についても勿論設計変更可能であるし、ナースコールシステム以外のシステムに使用するボタン装置であっても何ら問題はない。
【符号の説明】
【００２８】
１・・呼出ボタン装置、２・・押下力調整板（押下力調整手段）、５・・本体ケース、６・・押しボタン、７・・弾性板（弾性手段）、１０・・露出孔、１１・・摘み部、１２・・上側操作窓部（操作窓）、１８・・下側操作窓部（操作窓）、２０・・位置決め部、２０ａ・・位置決め凹部、２３・・リブ（押しボタンの一部）、２５・・撓み片、２５ａ・・先端部（押圧位置）、２９・・支点リブ（支点部）、３１・・スリット、３２・・薄肉部、３３・・位置決め用突起。
【図１】
2014229595.tif 000003
【図２】
2014229595.tif 000004
【図３】
2014229595.tif 000005
【図４】
2014229595.tif 000006
【図５】
2014229595.tif 000007
【図６】
2014229595.tif 000008
【図７】
2014229595.tif 000009